(57)【要約】【課題】フロントリテーナとハウジングとの組付け状態におけるガタ付きを防止する。【解決手段】コネクタは、端子収容部１１が形成されたハウジング１０と、後方から端子収容部１１に挿入される端子金具１５と、前方からハウジング１０に組み付けられるフロントリテーナ３０と、端子収容部１１に形成され、フロントリテーナ３０の係止突起３７を後方から係止させることでフロントリテーナ３０とハウジング１０を組付け状態に保持する係止面２９とを備え、係止面２９は、フロントリテーナ３０のハウジング１０への組付け方向に対して傾斜している。【選択図】図９
2019050169.tif 000002
【特許請求の範囲】
【請求項１】
端子収容部が形成されたハウジングと、
前記ハウジングの後方から前記端子収容部に挿入される端子金具と、
前方から前記ハウジングの前端部に組み付けられるフロントリテーナと、
前記端子収容部に形成され、前記フロントリテーナの係止突起を後方から係止させることで前記フロントリテーナと前記ハウジングを組付け状態に保持する係止面とを備え、
前記係止面が、前記フロントリテーナの前記ハウジングへの組付け方向に対して傾斜していることを特徴とするコネクタ。
【請求項２】
前記端子収容部は、
前記端子金具の挿入方向に沿って延びる基部と、
前記基部の前端縁から略直角に延出した形態の前壁部と、
前記前壁部の突出端縁を凹ませた形態のタブ挿入用凹部と、
前記前壁部の側縁部から後方へ突出し壁部を介して前記基部に繋がった係止部とを有しており、
前記係止面が前記係止部の後端面に形成されていることを特徴とする請求項１記載のコネクタ。
【請求項３】
前記フロントリテーナには、前記ハウジングに組み付けた状態で前記ハウジングに対し前方から当接する突当部が形成されており、
前記突当部が前記ハウジングに突き当たった状態では、前記係止突起が前記係止面に食い込むように係止することを特徴とする請求項１又は請求項２記載のコネクタ。
【請求項４】
前記フロントリテーナは、前記端子収容部に対する前記端子金具の挿抜を許容する状態で前記ハウジングに取り付けられた仮係止位置と、前記端子収容部に挿入された前記端子金具を抜止めする状態で前記ハウジングに取り付けられた本係止位置との間で前後方向に変位可能であり、
前記フロントリテーナには、前記係止面に係止することで、前記仮係止位置の前記フロントリテーナが前記ハウジングから離脱することを規制する抜止め突起が形成されていることを特徴とする請求項１ないし請求項３のいずれか１項に記載のコネクタ。
【請求項５】
前記フロントリテーナが前記仮係止位置にある状態では、前記係止突起が前記ハウジングに対し前方から係止するとともに、前記抜止め突起が前記係止面に食い込むように係止することを特徴とする請求項４記載のコネクタ。
【請求項６】
前記フロントリテーナが前記本係止位置にある状態では、前記係止突起が前記係止面に食い込むように係止されるようになっており、
前記係止面における前記係止突起の食い込み位置が前記抜止め突起の食い込み位置とは異なる位置であることを特徴とする請求項５記載のコネクタ。
【発明の詳細な説明】
【技術分野】
【０００１】
本発明は、コネクタに関するものである。
【背景技術】
【０００２】
特許文献１には、端子収容部が形成されたハウジングと、ハウジングの後方から端子収容部に挿入される端子金具と、前方からハウジングの前端部に組み付けられることで端子金具の挿入状態を検知するフロントリテーナとを備えたコネクタが開示されている。端子収容部は、端子金具の挿入方向に沿って延びる基部と、基部の前端縁から略直角に突出した形態の前壁部と、前壁部の突出端縁を凹ませた形態のタブ挿入用凹部と、基部の側縁における前端部から突出して前壁部に繋がる係止部とを有している。
【０００３】
フロントリテーナには、突当部と係止突起が形成されている。ハウジングの前端部に組み付けられた状態では、突当部がハウジングに対し前方から当接するとともに、係止突起が係止部に対して後方から係止することで、フロントリテーナがハウジングに対し組付け状態に保持されるようになっている。
【先行技術文献】
【特許文献】
【０００４】
【特許文献１】特開２０１５−１４４１０３号公報
【発明の概要】
【発明が解決しようとする課題】
【０００５】
ハウジングとフロントリテーナは合成樹脂製であるため、各々の寸法公差や相互間の組付け公差が生じることは避けられない。そのため、フロントリテーナをハウジングに組み付けたときに係止突起と係止部との間でガタ付きが生じることが懸念される。
【０００６】
本発明は上記のような事情に基づいて完成されたものであって、フロントリテーナとハウジングを組み付けた状態でガタ付きが発生するのを防止することを目的とする。
【課題を解決するための手段】
【０００７】
本発明は、
端子収容部が形成されたハウジングと、
前記ハウジングの後方から前記端子収容部に挿入される端子金具と、
前方から前記ハウジングの前端部に組み付けられるフロントリテーナと、
前記端子収容部に形成され、前記フロントリテーナの係止突起を後方から係止させることで前記フロントリテーナと前記ハウジングを組付け状態に保持する係止面とを備え、
前記係止面が、前記フロントリテーナの前記ハウジングへの組付け方向に対して傾斜しているところに特徴を有する。
【発明の効果】
【０００８】
フロントリテーナとハウジングを組み付けた状態では、寸法公差や組付け公差により係止面と係止突起の前後方向の位置関係にばらつきが生じることが懸念される。しかし、本発明によれば、係止面はフロントリテーナの組付け方向に対して傾斜しているので、係止面と係止突起との係止状態を保ち、ガタ付きの発生を防止することができる。
【図面の簡単な説明】
【０００９】
【図１】実施例１のコネクタの正面図
【図２】図１のＡ−Ａ線断面図
【図３】図１のＢ−Ｂ線断面図
【図４】ハウジングの正面図
【図５】図４のＣ−Ｃ線部分拡大断面図
【図６】図４のＤ−Ｄ線部分拡大断面図
【図７】フロントリテーナが仮係止位置に保持されている状態をあらわすＣ−Ｃ線相当部分拡大断面図
【図８】フロントリテーナが仮係止位置に保持されている状態をあらわすＤ−Ｄ線相当部分拡大断面図
【図９】フロントリテーナが本係止位置に保持されている状態をあらわすＣ−Ｃ線相当部分拡大断面図
【図１０】フロントリテーナが本係止位置に保持されている状態をあらわすＤ−Ｄ線相当部分拡大断面図
【図１１】フロントリテーナの正面図
【図１２】図１１のＥ−Ｅ線断面図
【図１３】図１１のＦ−Ｆ線断面図
【図１４】図１１のＧ−Ｇ線断面図
【図１５】係止面における係止突起の食い込み位置と抜止め突起の食い込み位置をあらわすＤ−Ｄ線相当部分拡大断面図
【発明を実施するための形態】
【００１０】
本発明は、前記端子収容部が、前記端子金具の挿入方向に沿って延びる基部と、前記基部の前端縁から略直角に突出した形態の前壁部と、前記前壁部の突出端縁を凹ませた形態のタブ挿入用凹部と、前記前壁部の側縁部から後方へ突出し壁部を介して前記基部に繋がった係止部とを有しており、前記係止面が前記係止部の後端面に形成されていてもよい。前壁部にタブ挿入用凹部が形成されていると、フロントリテーナをハウジングに組み付ける過程で、前壁部が係止突起に押されてタブ挿入用凹部側へ傾くように変形することが懸念される。しかし、前壁部の側縁部からは壁部を介して基部に繋がる係止部が突出しているので、前壁部は、係止突起に押されてもタブ挿入用凹部側へ傾く虞がない。
【００１１】
本発明は、前記フロントリテーナには、前記ハウジングに組み付けた状態で前記ハウジングに対し前方から当接する突当部が形成されており、前記突当部が前記ハウジングに突き当たった状態では、前記係止突起が前記係止面に食い込むように係止してもよい。この構成によれば、フロントリテーナとハウジングとの間のガタ付きを確実に防止することができる。
【００１２】
本発明は、前記フロントリテーナは、前記端子収容部に対する前記端子金具の挿抜を許容する状態で前記ハウジングに取り付けられた仮係止位置と、前記端子収容部に挿入された前記端子金具を抜止めする状態で前記ハウジングに取り付けられた本係止位置との間で前後方向に変位可能であり、前記フロントリテーナには、前記係止面に係止することで、前記仮係止位置の前記フロントリテーナが前記ハウジングから離脱することを規制する抜止め突起が形成されていてもよい。この構成によれば、フロントリテーナが仮係止位置にある状態でも、フロントリテーナとハウジングとの間のガタ付きを防止することができる。
【００１３】
本発明は、前記フロントリテーナが前記仮係止位置にある状態では、前記係止突起が前記ハウジングに対し前方から係止するとともに、前記抜止め突起が前記係止面に食い込むように係止してもよい。この構成によれば、フロントリテーナが仮係止位置にある状態におけるフロントリテーナとハウジングとの間のガタ付きを確実に防止することができる。
【００１４】
本発明は、前記フロントリテーナが前記本係止位置にある状態では、前記係止突起が前記係止面に食い込むように係止されるようになっており、前記係止面における前記係止突起の食い込み位置が前記抜止め突起の食い込み位置とは異なる位置であってもよい。係止突起と抜止め突起が係止面における同一箇所に食い込む場合、フロントリテーナが仮係止位置と本係止位置との間で変位した際に、係止突起と抜止め突起のうち後から係止する突起の食い込み方が弱くなり、ガタ付き防止機能が低下することが懸念される。しかし、係止突起の食い込み位置と抜止め突起の食い込み位置を異なる位置としたことにより、係止突起と抜止め突起の双方の突起を確実に食い込ませることができるので、仮係止位置と本係止位置の双方においてガタ付きを確実に防止することができる。
【００１５】
＜実施例１＞
以下、本発明を具体化した実施例１を図１〜図１５を参照して説明する。尚、以下の説明において、前後の方向については、図２，３，５〜１０，１２〜１４における右方を前方と定義する。上下の方向については、図１，２，４，５，７，９，１１，１２にあらわれる向きを、そのまま上方、下方と定義する。左右の方向については、図３，６，８，１０，１３における下方を右方と定義する。
【００１６】
＜コネクタの全体構成＞
本実施例１のコネクタは、合成樹脂製のハウジング１０と金属製の端子金具１５と合成樹脂製のフロントリテーナ３０とを備えて構成されている。ハウジング１０は、ポリアミド樹脂（ＰＡ）からなり、左右一対の端子収容室１２を有する端子収容部１１と、端子収容部１１を包囲するフード部１３とを有する単一部材である。各端子収容室１２には、前方へ片持ち状に延出した形態のランス１４が形成されている。各端子収容室１２内には、ハウジング１０の後方から端子金具１５が挿入される。端子金具１５の後端部に圧着された電線（図示省略）は、ハウジング１０の後方へ導出される。
【００１７】
フロントリテーナ３０は、ハウジング１０の前方から端子収容部１１の前端部に嵌合される。フロントリテーナ３０は、ハウジング１０に対し仮係止位置（図７，８を参照）と、仮係止位置よりも後方の本係止位置（図２，３，９，１０を参照）との間で、前後方向に平行移動し得るようになっている。フロントリテーナ３０は、ガラス入りポリブチレンテレフタレート樹脂（ＰＢＴ）からなり、端子金具１５を抜止めする機能と、端子金具１５の挿入状態を検知する機能とを兼ね備えた単一部材である。
【００１８】
フロントリテーナ３０が仮係止位置にある状態では、端子収容室１２に対する端子金具１５の挿抜動作（挿入動作と抜取り動作）が許容される。端子金具１５が端子収容室１２に挿入される過程では、ランス１４が、端子金具１５との干渉により弾性変形して撓み空間１６内へ進出し、端子収容室１２外へ退避する。撓み空間１６は、端子収容部１１の前端面と下面に開放された空間である。端子金具１５が端子収容室１２の正規位置まで挿入されると、ランス１４が弾性復帰して端子金具１５に係止し、この係止作用により端子金具１５が抜止めされる。
【００１９】
端子収容室１２に対する端子金具１５の挿入工程の後、仮係止位置のフロントリテーナ３０を本係止位置へ押し込む。このとき端子金具１５が正規挿入されていれば、ランス１４が弾性復帰に伴って撓み空間１６から退出しているので、フロントリテーナ３０の検知部３４が撓み空間１６内に進入する。検知部３４が撓み空間１６内に進入すると、ランス１４が端子金具１５から解離する方向への弾性変形が規制されるので、端子金具１５はランス１４とフロントリテーナ３０との二重係止作用により、確実に抜止めされる。
【００２０】
フロントリテーナ３０を仮係止位置から本係止位置側へ押し込もうとしたときに、端子金具１５が正規挿入位置に到達しておらず、ランス１４が撓み空間１６内に進出した状態のままである場合には、フロントリテーナ３０の押込みを開始した直後に検知部３４がランス１４に突き当たるので、フロントリテーナ３０を本係止位置へ押し込むことはできない。したがって、フロントリテーナ３０を本係止位置まで押し込むことができるか否かに基づいて、端子金具１５が正規挿入された状態と、正規挿入に到達しない半挿入状態のいずれの状態であるかを検知することができる。
【００２１】
＜端子収容部１１＞
次に、端子収容部１１の構成を説明する。端子収容部１１は、右側の端子収容室１２を区画する手段として、端子金具１５の挿入方向に沿って前後方向に延びる基部１７と、基部１７の前端縁から下方へ略直角に突出した前壁部１８と、基部１７と対向するように配された下壁部１９と、基部１７の右側縁部から下方へ突出した右側壁部２０（請求項に記載の壁部）と、基部１７の左側縁部から下方へ突出した隔壁部２１（請求項に記載の壁部）とを備えている。端子収容部１１は、左側の端子収容室１２を区画する手段として、端子金具１５の挿入方向に沿って前後方向に延びる基部１７と、基部１７と対向するように配された下壁部１９と、右側の端子収容室１２と共用される隔壁部２１と、基部１７の左側縁部から下方へ突出した左側壁部２２とを備えている。
【００２２】
右側の端子収容室１２の下壁部１９と左側の端子収容室１２の下壁部１９は、左右に隣り合って繋がっている。下壁部１９の前端は端子収容室１２の前端（前壁部１８）より後方に位置し、ランス１４は下壁部１９の前端から前方へ片持ち状に延出している。右側壁部２０と隔壁部２１と左側壁部２２のうちランス１４の後端より前方の領域は、概ね下半分が切欠した形態となっている。隔壁部２１の左右方向中央部には、前後方向のスリット２３が形成されている。スリット２３の形成領域は、端子収容部１１の前端からランス１４の後端に至る範囲であり、スリット２３によって左右２つの基部１７が独立して前方へ片持ち状に延出した形態となっている。
【００２３】
端子収容部１１は、各基部１７の前端縁から下方へ突出した形態の左右２つの前壁部１８を備えている。右側の前壁部１８の後面における左右両端部は、隔壁部２１の前端と右側壁部２０の前端とに対し略直角をなして一体的に繋がっている。左側の前壁部１８の後面における左右両端部は、左側壁部２２の前端と隔壁部２１の前端とに対し略直角をなして一体的に繋がっている。各前壁部１８の突出端縁（下端縁）には、左右方向中央部を上方へ方形に切欠した形態のタブ挿入用凹部２４が形成されている。タブ挿入用凹部２４は、ハウジング１０の前方から相手側端子（図示省略）のタブを端子収容室１２内に挿入させるためのものである。
【００２４】
端子収容部１１の外面のうち基部１７の前端部と前壁部１８の上端部とが繋がる上縁部には、第１前止まり部２５が形成されている。隔壁部２１には、前壁部１８よりも後方に位置するように第２前止まり部２６が形成されている。右側壁部２０には、前壁部１８よりも後方に位置するように第３前止まり部２７が形成されている。第１前止まり部２５、第２前止まり部２６及び第３前止まり部２７は、フロントリテーナ３０をハウジング１０に本係止したときに、フロントリテーナ３０がハウジング１０に対して後方へ相対変位することを規制するための手段である。
【００２５】
＜係止部２８＞
前壁部１８の下端縁の位置は、右側壁部２０の下端縁、隔壁部２１の下端縁及び左側壁部２２の下端縁よりも低い位置となっている。即ち、端子収容部１１の前端部において、基部１７からの前壁部１８の下方への突出寸法は、右側壁部２０、隔壁部２１及び左側壁部２２より大きい寸法となっている。この寸法差を利用して、端子収容部１１には左右２つの係止部２８が一体形成されている。
【００２６】
右側の係止部２８は、前壁部１８の後面右端縁から後方へ突出し、右側壁部２０の下端面に一体的に繋がった形態である。換言すると、右側の係止部２８は、右側壁部２０の前端部を介して基部１７の右側縁前端部に繋がっている。一方、左側の係止部２８は、前壁部１８の左右方向中央より僅かに右側の位置から後方へ突出し、隔壁部２１のうちスリット２３で分割された左側部位の下端面に一体的に繋がった形態である。換言すると、左側の係止部２８は、隔壁部２１の前端部を介して基部１７の左右方向略中央前端部に繋がっている。
【００２７】
各係止部２８の側面視形状（端子収容室１２に対する端子金具１５の挿入方向及びランス１４の弾性変位方向の両方向と公差する方向に見た形状）は、直角三角形である。右側の係止部２８については、直角三角形の直角な二辺が前壁部１８と右側壁部２０に一体的に繋がっている。左側の係止部２８については、直角三角形の直角な二辺が前壁部１８と隔壁部２１に一体的に繋がっている。各係止部２８のうち直角三角形の斜辺となる後面は、端子収容室１２に対する端子金具１５の挿入方向、及びハウジング１０に対するフロントリテーナ３０の組付け方向の両方向に対して傾斜した平面からなる係止面２９となっている。
【００２８】
＜フロントリテーナ３０＞
フロントリテーナ３０は、フロントリテーナ３０の前端に配された前面部３１と、前面部３１の外周縁から後方へ延出した概ね方形の筒部３２とを有する単一部品である。前面部３１には、端子収容室１２の前端部（前壁部１８）を嵌合させるための貫通形態の嵌合孔３３が形成されている。前面部３１には、その後面から後方へ片持ち状に延出した形態の検知部３４が形成されている。筒部３２には、筒部３２を構成する上板部３５から下方へ略直角に延出した形態の支持板部３６が形成されている。支持板部３６は、板厚方向を左右方向に向けた平板状をなし、フロントリテーナ３０をハウジング１０に取り付けた状態では、ハウジング１０の隔壁部２１のスリット２３に嵌入される。支持板部３６の前後方向における形成領域は、フロントリテーナ３０の前端から、後方へ所定の長さに亘る範囲である。
【００２９】
支持板部３６の左側面には、係止突起３７と抜止め突起３８が形成されている。係止突起３７は、フロントリテーナ３０の前端より少し後方の位置に配されている。図１３及び１４に示すように、係止突起３７の平面視形状は、支持板部３６から左方へ遠ざかるほど前後長が短くなる形態の等脚台形である。係止突起３７の前面と後面は、ハウジング１０に対するフロントリテーナ３０の組付け方向（仮係止位置と本係止位置との間の移動方向）に対して直角に近い角度で傾斜している。
【００３０】
抜止め突起３８は、係止突起３７よりも後方の位置、即ち支持板部３６の後端部に配されている。抜止め突起３８の平面視形状は、支持板部３６から左方へ遠ざかるほど前後長が短くなる形態の非等脚台形である。抜止め突起３８の前面（前後方向において係止突起３７の後面と対向する面）は、フロントリテーナ３０の組付け方向に対して傾斜し、支持板部３６の左側面に対して鋭角をなしている。抜止め突起３８の後面は、フロントリテーナ３０の組付け方向に対して傾斜し、支持板部３６の左側面に対して鈍角をなしている。
【００３１】
筒部３２を構成する右側板部の左側面（筒部３２の内面）にも、支持板部３６と同じく、係止突起３７と抜止め突起３８が形成されている。右側板部の係止突起３７の前後方向における位置と平面視形状は、支持板部３６の係止突起３７と同じである。右側板部の抜止め突起３８の前後方向における位置と平面視形状は、支持板部３６の抜止め突起３８と同じである。
【００３２】
前面部３１の後面のうち嵌合孔３３の開口上縁に沿った領域には、第１突当部３９（請求項に記載の突当部）が形成されている。支持板部３６の後端部には、第２突当部４０（請求項に記載の突当部）が形成されている。右側板部の抜止め突起３８の基端部には、第３突当部４１（請求項に記載の突当部）が形成されている。フロントリテーナ３０が本係止位置にあるとき、第１突当部３９、第２突当部４０及び第３突当部４１は、夫々、はの第１前止まり部２５、第２前止まり部２６及び第３前止まり部２７に対し前方から個別に当接する。
【００３３】
＜実施例１の作用及び効果＞
フロントリテーナ３０が仮係止位置にある状態では、左右２つの係止突起３７の後面が前壁部１８の前面に対して前方から係止することで、フロントリテーナ３０のハウジング１０に対する後方へ相対変位を規制される。また、左右２つの抜止め突起３８の前面が、夫々、係止面２９に対し後方から個別に食い込むように係止することで、フロントリテーナ３０のハウジング１０に対する前方へ相対変位を規制される。図１５に示すように、係止面２９における抜止め突起３８の前面の食い込み位置Ｐａは、係止面２９の左右方向における概ね中央部であり、上下方向においては比較的上方の位置である。
【００３４】
仮係止位置のフロントリテーナ３０の前面部３１を前方から押すと、フロントリテーナ３０が本係止位置へスライドする。フロントリテーナ３０を後方へ押し込む過程では、係止突起３７と前壁部１８の右側縁部とが干渉するので、筒部３２が左右に拡開するように弾性変形し、右側板部が右側の前壁部１８に対し右方へ遠ざかるように相対変位するとともに、支持板部３６が左側の前壁部１８から右方へ遠ざかるように相対変位する。
【００３５】
そして、フロントリテーナ３０が本係止位置に到達すると、第１〜第３突当部３９〜４１が第１〜第３前止まり部２５〜２７に対し前方から当接することで、フロントリテーナ３０のハウジング１０に対する後方への相対変位を規制される。また、筒部３２の形状が弾性復帰するのに伴い、左右２つの係止突起３７の前面が、夫々、係止面２９に対し後方から個別に食い込むように係止することで、フロントリテーナ３０のハウジング１０に対する前方へ相対変位を規制される。係止面２９における係止突起３７の前面の食い込み位置Ｐａは、係止面２９の右端部であり、上下方向においては比較的上方の位置である。つまり、係止面２９における係止突起３７の食い込み位置Ｐａと抜止め突起３８の食い込み位置Ｐｂは、上下方向に関しては概ね同じ高さであるが、左右方向に関しては相違している。
【００３６】
本実施例１のコネクタは、端子収容部１１が形成されたハウジング１０と、ハウジング１０の後方から端子収容部１１に挿入される端子金具１５と、前方からハウジング１０の前端部に組み付けられるフロントリテーナ３０とを備えている。端子収容部１１には、フロントリテーナ３０の係止突起３７を後方から係止させることでフロントリテーナ３０とハウジング１０を組付け状態に保持する係止面２９が形成されている。係止面２９は、ハウジング１０に対するフロントリテーナ３０の組付け方向に対して傾斜している。
【００３７】
フロントリテーナ３０とハウジング１０を組み付けた状態では、寸法公差や組付け公差により係止面２９と係止突起３７の前後方向の位置関係にばらつきが生じることが懸念される。しかし、本実施例１のコネクタは、係止面２９がフロントリテーナ３０の組付け方向に対して傾斜しているので、係止面２９と係止突起３７との係止状態を保ち、ガタ付きの発生を防止することができる。
【００３８】
また、端子収容部１１は、端子金具１５の挿入方向に沿って延びる基部１７と、基部１７の前端縁から略直角に突出した形態の前壁部１８と、前壁部１８の突出端縁を凹ませた形態のタブ挿入用凹部２４と、前壁部１８の側縁部から後方へ突出し、右側壁部２０又は隔壁部２１を介して基部１７に繋がる係止部２８とを有している。係止面２９は、この係止部２８の後端面に形成されている。
【００３９】
前壁部１８にはタブ挿入用凹部２４が形成されているため、フロントリテーナ３０をハウジング１０に組み付ける過程で、前壁部１８が係止突起３７に押されてタブ挿入用凹部２４側へ傾くように変形することが懸念される。しかし、前壁部１８の側縁部からは右側壁部２０又は隔壁部２１を介して基部１７に繋がる係止部２８が突出しているので、前壁部１８は、係止突起３７に押されてもタブ挿入用凹部２４側へ傾く虞がない。
【００４０】
また、フロントリテーナ３０には第１〜第３突当部３９〜４１が形成されており、この第１〜第３突当部３９〜４１は、フロントリテーナ３０をハウジング１０に組み付けて本係止位置に保持した状態で、ハウジング１０の第１〜第３前止まり部２５〜２７に対し前方から個別に当接する。そして、第１〜第３突当部３９〜４１が第１〜第３前止まり部２５〜２７に突き当たった状態では、係止突起３７が係止面２９に食い込むように係止する。この構成によれば、フロントリテーナ３０とハウジング１０との間のガタ付きを確実に防止することができる。
【００４１】
また、フロントリテーナ３０は、端子収容部１１に対する端子金具１５の挿抜を許容する状態でハウジング１０に取り付けられた仮係止位置と、端子収容部１１に挿入された端子金具１５を抜止めする状態でハウジング１０に取り付けられた本係止位置との間で前後方向に変位可能である。フロントリテーナ３０には、係止面２９に係止することで、仮係止位置のフロントリテーナ３０がハウジング１０から離脱することを規制する抜止め突起３８が形成されている。この構成によれば、フロントリテーナ３０が仮係止位置にある状態でも、フロントリテーナ３０とハウジング１０との間のガタ付きを防止することができる。
【００４２】
また、フロントリテーナ３０が仮係止位置にある状態では、係止突起３７がハウジング１０に対し前方から係止するとともに、抜止め突起３８が係止面２９に食い込むように係止する。この構成によれば、フロントリテーナ３０が仮係止位置にある状態におけるフロントリテーナ３０とハウジング１０との間のガタ付きを確実に防止することができる。
【００４３】
また、フロントリテーナ３０が本係止位置にある状態では、係止突起３７が係止面２９に食い込むように係止される。ここで、係止突起３７と抜止め突起３８が係止面２９における同一箇所に食い込む場合には、フロントリテーナ３０が仮係止位置と本係止位置との間で変位した際に、係止突起３７と抜止め突起３８のうち後から係止する突起の食い込み方が弱くなり、ガタ付き防止機能が低下することが懸念される。
【００４４】
しかし、本実施例１では、係止突起３７の食い込み位置Ｐａと抜止め突起３８の食い込み位置Ｐｂを異なる位置としているので、係止突起３７と抜止め突起３８の双方の突起を確実に係止面２９に食い込ませることができる。これにより、仮係止位置と本係止位置の双方においてハウジング１０とフロントリテーナ３０との間のガタ付きを確実に防止することができる。
【００４５】
＜他の実施例＞
本発明は上記記述及び図面によって説明した実施例に限定されるものではなく、例えば次のような実施例も本発明の技術的範囲に含まれる。
（１）上記実施例では、係止部の側面視形状が、直角な２辺を前壁部と基部とに繋げた直角三角形をなしているが、係止部の側面視形状は、基部には繋がらずに係止面が基部に対して斜めに対向する直角三角形や、非等脚台形等であってもよい。
（２）上記実施例では、ハウジングの材料をポリアミド樹脂（ＰＡ）としたが、ハウジングの材料はポリアミド樹脂以外のものでもよい。
（３）上記実施例では、フロントリテーナの材料をガラス入りポリブチレンテレフタレート樹脂（ＰＢＴ）としたが、フロントリテーナの材料はガラス入りポリブチレンテレフタレート樹脂以外のものでもよい。
（４）上記実施例では、係止突起が係止面に食い込むように係止するが、係止突起は係止面に食い込まない状態で係止してもよい。
（５）上記実施例では、抜止め突起が係止面に食い込むように係止するが、抜止め突起は係止面に食い込まない状態で係止してもよい。
（６）上記実施例では、係止面における係止突起の食い込み位置が抜止め突起の食い込み位置と異なるが、係止面における係止突起の食い込み位置と抜止め突起の食い込み位置が同じ位置であってもよい。
（７）上記実施例では、フロントリテーナがハウジングに対し仮係止位置に保持されるようになっているが、本発明は、フロントリテーナが仮係止位置に保持されず、本係止位置のみに保持されるコネクタにも適用できる。
【符号の説明】
【００４６】
１０…ハウジング
１１…端子収容部
１５…端子金具
１７…基部
１８…前壁部
２０…右側壁部（壁部）
２１…隔壁部（壁部）
２４…タブ挿入用凹部
２８…係止部
２９…係止面
３０…フロントリテーナ
３７…係止突起
３８…抜止め突起
３９…第１突当部（突当部）
４０…第２突当部（突当部）
４１…第３突当部（突当部）
Ｐａ…係止突起の食い込み位置
Ｐｂ…抜止め突起の食い込み位置
【図１】
2019050169.tif 000003
【図２】
2019050169.tif 000004
【図３】
2019050169.tif 000005
【図４】
2019050169.tif 000006
【図５】
2019050169.tif 000007
【図６】
2019050169.tif 000008
【図７】
2019050169.tif 000009
【図８】
2019050169.tif 000010
【図９】
2019050169.tif 000011
【図１０】
2019050169.tif 000012
【図１１】
2019050169.tif 000013
【図１２】
2019050169.tif 000014
【図１３】
2019050169.tif 000015
【図１４】
2019050169.tif 000016
【図１５】
2019050169.tif 000017